(57)【要約】【課題】上下方向に蓋をはめ込む構造の場合、蓋の変形やはめ込みが悪いと、除湿機内で蓋の浮きや外れが原因で、蓋が機具内に引っかかってドレンタンク９を機具から取り出せない場合や、ドレン水回収口３４が本来の位置からずれてしまいドレン水が正常に回収されない問題があった。【解決手段】ドレンタンク９はタンク室７に水平方向に着脱可能とし、ドレンタンク９の上部に排水経路からのドレン水をドレンタンク９内に回収するためのドレン水回収口３４と、ドレンタンク９内のドレン水を排出するための排出口３７と、排出口３７に水平方向に開閉自在としたスライド可能な蓋とを設けた。【選択図】図４
2016101571.tif 000002
【特許請求の範囲】
【請求項１】
枠体内の仕切板によって隔てられた一方に圧縮機を収納する機械室を、他方にドレンタンクを収納するタンク室を設け、ドレンパンで隔てられた前記機械室、タンク室の上方に蒸発器と凝縮器と送風ファンを備え、吸込口と前記蒸発器、前記凝縮器、前記送風ファン、吹出口を連通した送風経路と、前記蒸発器より発生したドレン水を前記ドレンパンを介して前記ドレンタンクに溜める排水経路とを形成した除湿機に於いて、前記ドレンタンクは前記タンク室に水平方向に着脱可能とし、前記ドレンタンクの上部に前記排水経路からのドレン水を前記ドレンタンク内に回収するためのドレン水回収口と、前記ドレンタンク内のドレン水を排出するための排出口と、前記排出口に水平方向に開閉自在としたスライド可能な蓋とを設けたことを特徴とする除湿機。
【請求項２】
前記ドレンタンクは、前記蓋を全開としたときに前記ドレン水回収口を前記蓋が塞がないように前記蓋の開方向への移動量を制限するストッパーを有したことを特徴とする請求項１記載の除湿機。
【発明の詳細な説明】
【技術分野】
【０００１】
本発明は、一般家庭で使用される小型の除湿機に関するものである。
【背景技術】
【０００２】
従来よりこの種の、除湿機は、枠体下部にドレンタンクを備え、除湿運転で発生したドレン水を溜め、このドレンタンクが満水になることで運転を停止し、ドレンタンク内に溜まったドレン水を捨てるにはドレンタンクを除湿機側面より引き出す必要があり、この引き出し時にドレンタンク後方にドレン水がこぼれたり、水跳ねでタンク室内だけでなく床面をドレン水で汚す危険があった。これを防止するために、ドレンタンク上面に上下方向に取り外す蓋構造部材が取り付けられているものが多かった。（特許文献１参照）
【先行技術文献】
【特許文献】
【０００３】
【特許文献１】特開２００１―６５９１９号公報
【発明の概要】
【発明が解決しようとする課題】
【０００４】
しかし、特許文献１のように、上下方向に取り外す蓋構造部材をはめ込む構造では、蓋構造部材の変形やはめ込みが悪いと、除湿機内で蓋構造部材の浮きや外れが発生しまうことが原因で、蓋構造部材が機具内に引っかかってドレンタンクを機具から取り出せない場合や、ドレン水回収口が本来の位置からずれてしまいドレン水が正常に回収されない場合があるという問題があった。
【課題を解決するための手段】
【０００５】
本発明は上記課題を解決するため、枠体内の仕切板によって隔てられた一方に圧縮機を収納する機械室を、他方にドレンタンクを収納するタンク室を設け、ドレンパンで隔てられた前記機械室、タンク室の上方に蒸発器と凝縮器と送風ファンを備え、吸込口と前記蒸発器、前記凝縮器、前記送風ファン、吹出口を連通した送風経路と、前記蒸発器より発生したドレン水を前記ドレンパンを介して前記ドレンタンクに溜める排水経路とを形成した除湿機に於いて、前記ドレンタンクは前記タンク室に水平方向に着脱可能とし、前記ドレンタンクの上部に前記排水経路からのドレン水を前記ドレンタンク内に回収するためのドレン水回収口と、前記ドレンタンク内のドレン水を排出するための排出口と、前記排出口に水平方向に開閉自在としたスライド可能な蓋とを設けた。
【０００６】
また、前記ドレンタンクは、前記蓋を全開としたときに前記ドレン水回収口を前記蓋が塞がないように前記蓋の開方向への移動量を制限するストッパーを有した。
【発明の効果】
【０００７】
本発明によれば、水平方向にスライドさせて蓋を開閉する構造としたことで、除湿機内での蓋の上下方向の浮きや外れがなくなり、ドレンタンクの蓋が機具内で引っかかり抜き出せないなどのトラブルを改善することができる。
また、蓋を着脱させる動作が必要なく取り扱いしやすくなると共に、水捨て作業時に蓋を着脱させないので水捨て作業が極めて簡単であり、蓋を外した時に紛失する心配もない。
【０００８】
また、蓋にストッパーを取り付けたことで、蓋が開方向に全開した時でもドレン水回収口を塞ぐことがないようにできると共に、蓋を開けたままドレンタンクをタンク室に収納したときでも、ドレン水回収口を塞ぐことがないのでドレン水の回収ができる。
【図面の簡単な説明】
【０００９】
【図１】この発明の一実施例の斜視図
【図２】同分解状態の斜視図
【図３】同正面中央の断面図
【図４】第１実施例のドレンタンクの斜視図及び上部タンク部材の裏側斜視図
【図５】第２実施例のドレンタンクの斜視図及びスライド蓋の斜視図
【図６】第３実施例の上面図
【発明を実施するための形態】
【００１０】
次に、本発明の実施形態の除湿機の構成について図面に基づいて説明する。
１は除湿機の枠体で、２は枠体１の底板、３と４は底板２上の外周形状に沿って上方に形成され左右が略対象の左枠体と右枠体である。底板２と、左枠体３と、右枠体４とを設けて本体の外郭を構成している。
【００１１】
５は底板２の前後方向の略中央に垂直に取り付けられ、前後方向に隔てる仕切板で、この仕切板５の後方には機械室６を、前方にはタンク室７を設け、機械室６の左右対称線上に圧縮機８が、タンク室７には前方に引き出して着脱自在のドレンタンク９を備えている。
このドレンタンク９は、ドレン水が水跳ねしないように上部開口を覆う着脱自在の上部タンク部材９ａとドレン水を溜める下部タンク部材９ｂとを合わせて構成されている。
【００１２】
１０は左枠体３の上部に形成された吸込口で、横長のスリットを多数備えた開口が設けられ、左枠体３の側面は左斜め後方に向いているので、正面からは吸込口１０が隠れてほとんど見えないものである。１１は右枠体４の上面に設けた吹出口で、開閉自在の風向板１２によって乾燥空気の吹き出し方向を右斜め上方方向から平行方向に自由に変えることができるものである。
【００１３】
吸込口１０の内側には樹脂製の綱や不織布からなり、吸入空気に混入するホコリを取り除くフィルタ（図示せず）を備えている。このフィルタの内側にはフィンチューブ式の熱交換器からなる蒸発器１３と、蒸発器１３のさらに下流には、同じくフィンチューブ式の熱交換器からなる凝縮器１４を設け、この凝縮器１４の下流には送風ファン１５及びこの送風ファン１５を駆動するファンモータ１６が設けられ、吸込口１０と吹出口１１の間に形成した送風経路１７の送風を行うものである。
【００１４】
凝縮器１４とファンモータ１６の間には、樹脂材料で一体成型された熱交固定部材１８を設け、この熱交固定部材１８はファンモータ１６を取付けると共に送風ファン１５の吸入口１９を備えたファンガイド部２０と、蒸発器１３と凝縮器１４のフィンの上面や銅管を固定する上部固定部２１と、蒸発器１３で発生したドレン水を受けるドレンパン部２２を一体に成形し、ファンガイド部２０と上部固定部２１の間と、ファンガイド部２０とドレンパン部２２の間に、折曲可能な肉薄部２３を形成し、この肉薄部２３を中心にして約９０度の角度で折り曲げて、蒸発器１３と凝縮器１４を挟み込み固定するものである。
【００１５】
２４はモータ取付部で、吸入口１９より立設される足の間を吸込空気が通過するものである。２５は上部固定部２１の両端から下方向に突出する上固定片で、蒸発器１３、凝縮器１４の銅管等の上部を押さえるものである。２６はドレンパン部２２の両端から上方向に突出する下固定片で、蒸発器１３、凝縮器１４の銅管等の下部を押さえるものである。
【００１６】
ファンガイド部２０の下部にはネジ穴用凸部２７を、折曲状態でこのネジ穴用凸部２７に対向するドレンパン部２２にはネジ穴２８を備え、ファンガイド部２０とドレンパン部２２の折曲状態をネジ２９にて保持する固定手段を備えるものである。また上部固定部２１の下部には爪部３０を、折曲状態でこの爪部３０が係止する、溝または突起３１をファンガイド部２０の上部に設ける係止手段を備えるものである。
【００１７】
圧縮機８は凝縮器１４とキャピラリーチューブ等の減圧装置（図示せず）と蒸発器１３を冷媒配管で連通して、圧縮機８の運転により凝縮器１４は高温になり、蒸発器１３は低温になるものである。
【００１８】
ドレンパン部２２の排水穴３３から排水されるドレン水が、上部タンク部材９ａに落ちる位置にドレン水回収口３４を開口され、ドレン水回収口３４は少し下にくぼんだ形状をしているため、ドレン水回収口３４の周りにドレン水が落ちたとしても自然にドレン水回収口３４へと流入される。
【００１９】
そして、ドレンパン部２２と排水穴３３とを連通し、ドレン水回収口３４へと至る経路は、蒸発器１３から発生したドレン水をドレンタンク９へ送る排水経路を構成している。
【００２０】
ドレンタンク９内には、満水時に浮き上がる動作をマイクロスイッチに伝えて除湿機の運転を停止すると共に表示を行う満水検知装置の用のフロート（図示せず）を備えている。
【００２１】
また、ドレンタンク９にはドレンタンク９を前面に引き出すため手を挿入する取手用凹部３６を備えている。
【００２２】
また、図４で示すように、上部タンク部材９ａには、ドレンタンク９に溜まったドレン水を排出する排出口３７が開口され、排出口３７の左右の側面に水平に延びる溝状のガイド部３８が形成され、スライド蓋３９がガイド部３８に嵌合するようになっているのでガイド部３８の範囲分だけスライドが可能になる。また、ガイド部３８に凸状の突起などを設けることやガイド部３８の範囲をせまくすることで、開方向への移動量を制限するストッパーとしての役割を果たすことができる。
【００２３】
そして、スライド蓋３９をスライドして、排出口３７を開くことで、ドレンタンク９に溜まったドレン水を排出することができるようになる。また、スライド蓋３９をスライドして、排出口３７を閉じることで、排出口３７を密閉することができる。
【００２４】
また、スライド蓋３９を全開としたときにドレン水回収口３４をスライド蓋３９が塞がないようにスライド蓋３９の開方向への移動量を制限するストッパーである凸部４０を備えている。
【００２５】
そして、排出口３７の大きさはユーザーがドレンタンク９の洗浄等のメンテナンスを行えるように、少なくとも手が入る大きさである。
【００２６】
４１は枠体１上面の操作部で運転ボタン４２、タイマーボタン４３、運転コース選択ボタン４４等のボタン類を備え、枠体１の左右両側面間の寸法を後部より前方に向かうに従って幅広に形成し、ドレンタンク９上方の広い上面に設けたので、とても見やすく操作がしやすいものである。４５は枠体１上面のやや後部側で左右枠体３・４の接合に設けた取手部で、一番重い部品である圧縮機８の上方に設けられ、持ち運び時にバランス良く除湿機を持ち運べるものである。
【００２７】
このようにドレンタンク９上部にスライド蓋３９を設け、ドレンタンク９上部で水平方向にスライドして開閉する構造としたことで、除湿機内での蓋の上下方向の浮きや外れがなくなり、ドレンタンク９の蓋構造部材が機具内で引っかかり抜き出せないなどのトラブルを改善することができる。
また、蓋を着脱させる動作が必要なく取り扱いしやすくなると共に、水捨て作業時に蓋を着脱させないので水捨て作業が極めて簡単であり、蓋を外した時に紛失する心配もない。
【００２８】
また、スライド蓋３９に凸部４０を取り付ける構造としたことで、スライド蓋３９が開方向に全開した時でも排水経路を塞ぐことがないようにできると共に、スライド蓋３９を開けたままドレンタンク９をタンク室に収納したときでも、排水経路を塞ぐことがないのでドレン水の回収が可能である。
【００２９】
次に上部タンク部材９ａと下部タンク部材９ｂを一体成形させた第２の実施形態について説明する。ここでは第１の実施形態と同一のものは同一の符号を付してその説明を省略させる。
【００３０】
第１実施形態では上部タンク部材９ａと下部タンク部材９ｂを別部品としてドレンタンク９を構成しているが、第２実施形態は図４のように上部タンク部材９ａと下部タンク部材９ｂが一体成形のドレンタンク９とする。
【００３１】
このように、一体成形のドレンタンク９とすることで、ドレンタンク９の洗浄時でも上部タンク部材９ａと下部タンク部材９ｂを上下方向に取り外すことがないので、除湿機内での上部タンク部材９ａの上下方向の浮きや外れがなくなり、よりドレンタンク９が機具内で引っかかり抜き出せないトラブルが減少すると共に、部品数が少なくなったことで取り扱いもしやすくなる。
【００３２】
次に上部タンク部材９ａとスライド蓋３９の形状を変更した第３の実施形態について図６に基づいて説明する。図６はドレンタンク９を上から見た上面図である。ここでは、第１の実施形態と同一のものは同一の符号を付してその説明を省略する。
【００３３】
４６は上部タンク部材９ａに設けた主軸、４７は主軸４６を中心とした略半円状の回転蓋であり、回転蓋４７は主軸４６を回転中心として回動スライドすることが可能となっている。
また、回転蓋４７には上側に凸形状のつまみ４８が形成されているので、つまみ４８を用いて簡単に回転スライドできると共に、つまみ４８がドレンタンク９上面又は上部タンク部材９ａに当たることで、回転スライドの移動量を制限することができる。
【００３４】
水捨て作業時には図６の（ａ）のように回転蓋４７の半円がドレンタンク９上面に重なるところまで回転スライドさせて、排出口３７を開放することで水捨て作業を行うことができる。また、除湿機の使用時やドレンタンク９の持ち運び時には図６の（ｂ）のように回転蓋４７の半円が排出口３７を完全に覆うように回転スライドさせて、排出口３７からドレン水が水跳ねすることを防ぐことができる。
【００３５】
このようにスライド蓋３９を回転蓋４７にし、ドレンタンク９上部で水平方向に回転スライドして開閉する構造としたことで、除湿機内での蓋の上下方向の浮きや外れがなくなり、ドレンタンク９の蓋構造部材が機具内で引っかかり抜き出せないなどのトラブルを改善することができる。
【００３６】
なお、本発明は実施形態に限定されるものではなく、要旨を変更しない範囲で改変することを妨げるものではなく、例えば、第３実施例は上部タンク部材９ａと下部タンク部材９ｂを別部品としてドレンタンク９を構成しているが、一体成形の構造でも良いものとする。
【符号の説明】
【００３７】
１  枠体
５  仕切板
６  機械室
７  タンク室
８  圧縮機
９  ドレンタンク
１０  吸込口
１１  吹出口
１３  蒸発器
１４  凝縮器
１５  送風ファン
１７  送風経路
２２  ドレンパン部
３３  排水穴
３４  ドレン水回収口
３７  排出口
３９  スライド蓋
４０  凸部
４７  回転蓋
【図１】
2016101571.tif 000003
【図２】
2016101571.tif 000004
【図３】
2016101571.tif 000005
【図４】
2016101571.tif 000006
【図５】
2016101571.tif 000007
【図６】
2016101571.tif 000008